(57)【特許請求の範囲】
【請求項１】
コンベヤベルト（１）の先端部（１ｓ）をパイプ状に丸め、その丸めた先端部（１ｓ）を保持枠（３）内に複数の保持ローラー（２）を中空円形状に配置して形成した中空部に順次引き込んでパイプコンベヤを形成するパイプコンベヤ用引き込み金具であって、
前記保持ローラー（２）の中空部内径よりも小さい外径を有する円筒形状の金具（７）を本体として、該金具（７）の一方の端部に複数の接合穴（８）を周方向に間欠的に設け、これら接合穴（８）に重なるように前記コンベヤベルト（１）の先端部（１ｓ）を取り付け、その取り付けた先端部（１ｓ）を前記複数の接合穴（８）に選択的に接合具（１３）を挿入して固定し、前記金具（７）の他方の端部には引き込みワイヤー（４）を取り付け、かつ前記金具（７）の長手方向中間部にパイプコンベヤ回転修正用穴（１０）を周方向に沿って複数設けたパイプコンベヤ用引き込み金具。
【請求項２】
前記金具（７）の外径が前記保持ローラー（２）の前記中空部内径の７０〜９０％の大きさであって、かつ前記接合具（１３）がボルト（８ａ）からなる請求項１に記載のパイプコンベヤ用引き込み金具。
【発明の詳細な説明】
【０００１】
【発明の属する技術分野】
本発明は、パイプコンベヤ用引き込み金具に関し、更に詳しくはコンベヤベルトをパイプ状に丸めて中空円筒状になし輸送する、パイプコンベヤを保持ローラーに挿入させるパイプコンベヤ用引き込み金具に関するものである。
【０００２】
【従来の技術】
従来、粉末、粒状の運搬物を輸送する仕組みとして、運搬物の飛散や、荷こぼれ等を有効に防止すると共に、曲線状に輸送する必要があるラインに於いてコンベヤベルトを、パイプ状に丸めて輸送するパイプコンベヤが知られている。該パイプコンベヤの新規な設置あるいは交換、修理に際し、ドラムに巻き付けられたコンベヤベルトを中空円形状に設置されたガイドのための保持ローラーに順次挿通させることにより、コンベアベルトをパイプ状に丸めていくことが行われている。しかし、コンベヤベルトをパイプ状に変形させながら曲線状のラインに引き込む関係から、ベルトの耳部が保持ローラー等に引っかかり易く非常に大きな引き込み力を必要とし、しかも、コンベヤベルト先端部の両耳を切り欠くことが不可欠であり作業工数も増加し、不必要な作業の増加も問題であった。
【０００３】
そこで、特開平５−４７０７号公報のように図４に記載の紐やポリエチレンバンド等の仮止め用の拘束手段６により引込み部をパイプ状に拘束し、ワイヤー４によって保持ローラー２内を順次挿通させる方法が提案され、引き込み力をある程度低減する効果は認められた。しかし、コンベヤベルト１はパイプ形状に馴染みがなく、しかも仮り止め用の拘束手段６自体が保持ローラー２等に引っ掛かり易く、引き込み中に拘束手段６がほどけてしまうといった問題から、ワイヤー４に非常に大きな引き込み抵抗が発生する事がある。したがって、図示しないベルト引き込み用のウインチは一般の平コンベアベルトのそれに比較して、大きな能力のものを用意する必要があった。
【０００４】
さらに、図５は従来のパイプコンベア引込み治具の部分拡大図であって、１１はパイプコンベア径の３０％程度の幅を有するホルダーで、コンベヤベルト先端部１ｓの両耳を切り欠き１２のように、切り欠く必要があることは依然解決されていなかった。更に耐え難いことには、パイプ状に仮止めしたコンベヤベルト１は何等コンベアベルト廻りの回転方向に拘束されていないので、コンベアベルト廻りに不必要に回転してしまう動作の修正作業がなかなか困難で、コンベヤベルト耳部１ａの重なりや開きを生じ易く保持ローラー２との干渉は依然防止できなかった。
【０００５】
【発明が解決しようとする課題】
本発明は、かかる従来の課題に着目して案出したもので、コンベヤベルトの引き込み抵抗を低減させ、コンベヤベルト先端部や耳部の損傷等を有効に防止するとともに、コンベヤベルト先端部両耳の切り欠きを必要とせず、しかもパイプコンベヤの回転運動の修正を簡単にするパイプコンベヤ用引き込み金具を提供することに有る。
【０００６】
【課題を解決するための手段】
上記の目的を達成するための本発明は、コンベヤベルト（１）の先端部（１ｓ）をパイプ状に丸め、その丸めた先端部（１ｓ）を保持枠（３）内に複数の保持ローラー（２）を中空円形状に配置して形成した中空部に順次引き込んでパイプコンベヤを形成するパイプコンベヤ用引き込み金具であって、前記保持ローラー（２）の中空部内径よりも小さい外径を有する円筒形状の金具（７）を本体として、該金具（７）の一方の端部に複数の接合穴（８）を周方向に間欠的に設け、これら接合穴（８）に重なるように前記コンベヤベルト（１）の先端部（１ｓ）を取り付け、その取り付けた先端部（１ｓ）を前記複数の接合穴（８）に選択的に接合具（１３）を挿入して固定し、前記金具（７）の他方の端部には引き込みワイヤー（４）を取り付け、かつ前記金具（７）の長手方向中間部にパイプコンベヤ回転修正用穴（１０）を周方向に沿って複数設けたことを特徴とするものである。
【０００７】
それにより、コンベヤベルト先端部の両耳切り欠きを必要とせずにコンベヤベルトをパイプ状に拘束したうえで、保持ローラー２の中に順次挿通させて比較的小さい引き込力で引込みが可能となるものである。なおここで記載の、円筒形状とは単に円筒形に限らず円錐台形であっても良く、その場合特に引込み側を細くする事が好ましい。
【０００８】
しかも、コンベヤベルト（１）をパイプ状に変形させながら曲線状のラインに引き込むに当たり、パイプコンベヤ（１）に生じるコンベヤベルト廻りの回転を修正するためのパイプコンベヤ回転修正用穴（１０）を、円筒形状からなるパイプコンベヤ用引き込み金具（７）に設けることで、回転動作の修正作業の軽減を可能にし、コンベヤベルト耳部（１ａ）の重なりや開きの修正作業を簡単にすることができる。更に、パイプコンベヤ先端部（１ｓ）を取り付ける接合穴が複数個設けてあるから、選択的にコンベヤベルト耳部（１ａ）を選んで接合する事が可能になり、パイプコンベヤの引き込み力を接合具（１３）を介して全幅にわたって均一に伝えることが引込み力の低減につながる。
【０００９】
更に、前記金具（７）の外径を前記保持ローラー（２）の中空部内径の７０〜９０％の大きさに設定し、かつ前記接合具（１３）をボルト（８ａ）にすることが望ましい。パイプコンベヤの引き込み力をボルト（８ａ）を介してコンベヤベルト耳部（１ａ）近傍まで伝えることによって、コンベヤベルト耳部（１ａ）の損傷を有効に防止することが可能になる。
【００１０】
【発明の実施の形態】
本発明のパイプコンベヤ用引き込み金具７は、保持ローラー中空部の内径より小さい外径を有し、しかもパイプコンベヤの引き込み力を前記コンベヤベルトに、複数個設けた接合穴から選択的に全幅にわたって配置した接合具を介して均一に伝えることが可能であり、しかも該パイプコンベヤの回転を修正する、回転修正用穴を有する事を特徴とする。
【００１１】
これにより、コンベヤベルトの引き込み抵抗を著しく低減させることが可能になり、しかもベルト先端部や耳部等の損傷を有効に防止できる上に、コンベヤベルト先端部両耳の切り欠きを必要とせず、引き込み時のパイプコンベヤの不必要な回転を修正することが簡単に実施可能になる。
【００１２】
【実施例】
以下、添付図面により本発明の実施例を説明する。図１は、本発明を実施したパイプコンベヤ用引き込み金具７の概略構成図であって、１はドラム５に巻き付けられたコンベヤベルト、２は保持枠３に中空円形状に配置された保持ローラー、４はコンベヤベルト１とパイプコンベヤ用引き込み金具７を保持ローラー２の中空部内に引き込み図示していないウインチによって牽引されるワイヤーを示している。
【００１３】
図２は、本発明を実施したパイプコンベヤ用引き込み金具７の概略構成図であって、１ｓはコンベヤベルトの先端部、８ａは複数並んだ接合穴８から選択的にコンベヤベルト全幅を選んで取り付けたボルト、９はパイプコンベヤ用引き込み金具７と引き込みワイヤー４を接続するシャックル、１０はパイプコンベヤ回転修正用穴である。図３は取り付けボルト部分の部分拡大図であり、コンベヤベルト１とパイプコンベヤ用引き込み金具７を接続できれば、ボルトに限らず縫い付け、挟み付け等であればよいが、パイプコンベヤ用引き込み金具７の外径を著しく大きくするような接続は好ましくない。
【００１４】
本発明では、コンベヤベルト１をパイプ状に丸めて中空円形状に配置された保持ローラー２を備えた保持枠３内に順次挿通させながら引き込む際に、前記コンベヤベルトの先端部１ｓを保持ローラー２の内径の７０％から９０％の外径のパイプコンベヤ用引き込み金具にコンベヤベルト１全幅にわたって接合し、保持ローラー２内に順次挿通させて引き込むものである。保持ローラー２の内径の９０％超では引き込み抵抗が増加し、７０％未満ではコンベヤベルト先端部のパイプコンベヤ用引き込み金具への接合が困難になるので好ましくない。
【００１５】
これにより、コンベヤベルト１の引き込み抵抗を著しく低減させることができる上に、コンベヤベルト先端部１ｓの両耳を切り欠くことが不要になり作業工数の低減となり、著しく作業効率が向上した。
【００１６】
更に、コンベヤベルトの引き込み作業に際し、保持ローラー２や曲線状のラインとの干渉に起因する、コンベヤベルトの不必要な回転運動をパイプコンベヤ用引き込み金具に設けた、パイプコンベヤ回転修正用穴で修正が可能になり、ベルト耳部の重なりや開きを防止でき、ベルト耳部の損傷等を有効に防止することができる。
【００１７】
しかも、コンベヤベルトの先端部１ｓを複数並んだ穴から選択的に全幅にわたって選んだ接合具１３で保持できるため、コンベヤベルト１をパイプ状に丸めて保持ローラー２内に順次挿通させて引き込む力を、平均してコンベヤベルト１全幅に伝えることが可能となり、コンベヤベルト先端部の損傷を有効に防止できる。
【００１８】
表１の通り、運搬距離１キロメーターでパイプ径５０ｃｍの場合に本発明のパイプコンベヤ用引き込み金具を採用した場合の作業効率の向上を、パイプコンベヤの交換作業に要した時間の比率で従来の交換作業と比較した。
0004363503.tif 000002
その結果、本発明のパイプコンベヤ用引き込み金具を採用する事で、交換作業時間を１５％短縮する事が出来た。
【００１９】
【発明の効果】
本発明は、上記のように構成したので、コンベヤベルトの引き込み抵抗を著しく低減させることが可能になる。しかも、コンベヤベルト先端部の損傷がなく両耳部の切り欠きも必要とせず、更にコンベアベルトがパイプコンベア廻りに回転した場合の回転修正用の穴を、円筒形状からなるパイプコンベヤ用引き込み金具に設けることで、回転動作の修正作業の軽減を可能にしコンベアベルト耳部の損傷などを軽減することが可能になる。
【図面の簡単な説明】
【図１】本発明を実施したパイプコンベヤ装置のコンベヤベルト引き込み概略構成図。
【図２】本発明のパイプコンベヤ用引き込み金具の概略図。
【図３】本発明のパイプコンベヤ用引き込み金具のコンベアベルト取り付けボルトの部分拡大図。
【図４】従来のパイプコンベヤ装置のコンベヤベルト引き込み概略構成図。
【図５】従来のパイプコンベヤ用引き込み治具のコンベヤベルト取り付け部分拡大図。
【符号の説明】
１  コンベヤベルト
１ａコンベヤベルト耳部
２  保持ローラー
３  保持枠
４  ワイヤー
５  ドラム
６  拘束手段
７  パイプコンベヤ用引き込み金具
８  接合穴
８ａボルト
９  シャックル
１０パイプコンベヤ回転修正用穴
１１ホルダー
１２切り欠き
１３接合具
【図１】
0004363503.tif 000003
【図２】
0004363503.tif 000004
【図３】
0004363503.tif 000005
【図４】
0004363503.tif 000006
【図５】
0004363503.tif 000007